(57)【要約】【課題】本発明の目的は、運搬性を向上させた袋を提供することにある。【解決手段】袋１００は、上端１０１ａが開口し、下端１０１ｂが閉じられている袋本体部１０１と、上端１０１ａに対して略平行な方向に延びるように袋本体１０１の外面に設けられた紐状部材または帯状部材で構成される持ち手部１０３と、下端に対して略平行な方向に延びるように袋外面に設けられた紐状部材または帯状部材で構成される持ち手部１０５を備えている。持ち手部１０５は、袋本体１０１の上端１０１ａよりも下端１０１ｂに近い位置に設けられている。【選択図】図１
2018070178.tif 000002
【特許請求の範囲】
【請求項１】
上端が開口し、下端が閉じられている袋本体部と、
前記袋本体部の上端に対して略平行な方向に延びるように前記袋本体部の外面に設けられた紐状部材または帯状部材で構成される第一の持ち手部と、
前記袋本体部の下端に対して略平行な方向に延びるように前記袋本体部の外面に設けられた紐状部材または帯状部材で構成される第二の持ち手部を備え、
前記第二の持ち手部は、前記袋本体部の上端よりも下端に近い位置に設けられている、穀物を収容する袋。
【請求項２】
最大容量の穀物を収容した状態において、前記第二の持ち手部と前記袋本体部の外面の間に少なくとも１本以上の指を通すことができる、請求項１に記載の袋。
【請求項３】
前記第二の持ち手部は、環状の形状をした紙材で構成され、
前記第二の持ち手部の一部が前記袋本体部の外面に巻きつくように接着されている、請求項１または２に記載の袋。
【発明の詳細な説明】
【技術分野】
【０００１】
本発明は、袋に関し、特に穀物を収容する袋に関する。
【背景技術】
【０００２】
従来、米粒を収容する米袋が知られている（例えば、特許文献１）。
【先行技術文献】
【特許文献】
【０００３】
【特許文献１】特開２００８−１５０１０９号公報
【発明の概要】
【発明が解決しようとする課題】
【０００４】
しかし、特許文献１に示す米袋には、運搬性を向上させるために改良の余地がある。
【０００５】
本発明の目的は、運搬性を向上させた袋を提供することにある。
【課題を解決するための手段】
【０００６】
上記目的は、上端（上端１０１ａ）が開口し、下端（下端１０１ｂ）が閉じられている袋本体部（袋本体部１０１）と、前記袋本体部の上端に対して略平行な方向に延びるように前記袋本体部の外面に設けられた紐状部材または帯状部材で構成される第一の持ち手部（持ち手部１０３）と、前記袋本体部の下端に対して略平行な方向に延びるように前記袋本体部の外面に設けられた紐状部材または帯状部材で構成される第二の持ち手部（持ち手部１０５）を備え、前記第二の持ち手部は、前記袋本体部の上端よりも下端に近い位置に設けられている、穀物を収容する袋（袋１００）によって達成される。
【０００７】
上記目的は、最大容量の穀物を収容した状態において、前記第二の持ち手部（持ち手部１０５）と前記袋本体部の外面の間に少なくとも１本以上の指を通すことができる、上述の袋（袋１００）によっても達成される。
【０００８】
上記目的は、前記第二の持ち手部（持ち手部１０５）は、環状の形状をした紙材で構成され、前記第二の持ち手部の一部が前記袋本体部の外面に巻きつくように接着されている、上述の袋（袋１００）によっても達成される。
【発明の効果】
【０００９】
本発明によれば、運搬性を向上させた袋を実現できる。
【図面の簡単な説明】
【００１０】
【図１】本発明の第１の実施形態による袋１００の正面図である。
【図２】本発明の第１の実施形態による袋１００の裏面図である。
【図３】本発明の第１の実施形態による袋１００の左側面図である。
【図４】本発明の第１の実施形態による袋１００の右側面図である。
【図５】本発明の第２の実施形態による袋２００の正面図である。
【図６】本発明の第３の実施形態による袋３００の正面図である。
【発明を実施するための形態】
【００１１】
以下、図１〜図６を用いて、本発明の実施形態による袋を説明する。なお、以下の全ての図面においては、理解を容易にするため、各構成要素の寸法や比率などは適宜異ならせて図示している。
【００１２】
［第１の実施形態］
図１乃至図４を用いて、本発明の第１の実施形態による袋１００を説明する。図１は、袋１００の正面図であり、図２は、袋１００の裏面図である。図３は、袋１００の左側面図であり、図４は、袋１００の右側面図である。図１に示すように、袋１００は、袋本体部１０１と持ち手部１０３と持ち手部１０５で構成されている。
【００１３】
袋１００の袋本体部１０１は、上端が開口している正面形状が略長方形の袋を３枚重ねることで構成される。袋本体部１０１には、例えば、クラフト紙やハトロン紙等の強度が高い紙材を用いてもよいし、合成樹脂を用いてもよい。
【００１４】
袋１００の持ち手部１０３は、帯状または紐状の形状で構成され、袋１００の運搬の際の持ち手として機能し、かつ袋１００の開口部を閉じる口紐としても機能する。持ち手部１０３の長さは、袋本体部１０１の横の長さよりも長くなるように構成される。持ち手部１０３には、クラフト紙やハトロン紙等の強度が高い紙材を用いてもよいし、綿や麻等の繊維、合成樹脂、または合成繊維等を用いてもよい。また、図２に示すように、持ち手部１０３は、袋本体部１０１の裏側外面の上端１０１ａの近傍に略左端から略右端にかけて貼着される。図２で示す持ち手部１０３の破線で示す部分は、クラフト紙やハトロン紙等の強度が高い紙材１０１ａで覆われている部分を示している。
【００１５】
袋１００の持ち手部１０５は、環状の帯または環状の紐の形状で構成され、袋１００の運搬の際の持ち手として機能する。持ち手部１０５の周長は、袋本体部１０１に最大容量の収容物を収容した状態において袋本体部１０１と持ち手部１０５の間に少なくとも指を１本以上通すことができる隙間を生じさせることが可能となる長さである。例えば、持ち手部１０５の周長は、袋本体部１０１に最大容量の収容物を収容した状態で袋本体部１０１と持ち手部１０５の間に持ち手部１０５をしっかり握ることができる隙間を生じさせ、かつ持ち手部１０３と持ち手部１０５とで保持した場合に袋本体部１０１の水平を容易に保つことが可能となる長さにするのが好適である。持ち手部１０５の幅は、約１５ｍｍ程度であるが１５ｍｍ以下であってもよいし１５ｍｍ以上であってもよい。また、持ち手部１０５には、クラフト紙やハトロン紙等の強度が高い紙材を用いてもよいし、綿や麻等の繊維、合成樹脂、または合成繊維等を用いてもよい。なお、持ち手部１０３と持ち手部１０５は、同じ材質で構成されてもよいし、異なる材質で構成されてもよい。
【００１６】
図２に示すように、持ち手部１０５は、袋本体部１０１の下端１０１ｂに対して略平行な方向（±約４５°の範囲内の方向）で袋本体部１０１の外周を巻くように袋本体部１０１の裏側外面の略左端から略右端にかけて貼着される。図２に示す持ち手部１０５の破線で示す部分は、クラフト紙やハトロン紙等の強度が高い紙材１０１ｂで覆われている部分を示している。なお、持ち手部１０５は、袋本体部１０１の表側外面の中央部分を除いた部分まで貼着され、クラフト紙やハトロン紙等の強度が高い紙材１０１ｂで覆われてもよい。また、持ち手部１０５は、袋本体部１０１に縫い付けられてもよい。
【００１７】
持ち手部１０５は、袋本体部１０１の下端１０１ｂから上端１０１ａまでの高さを１とした場合に下端から約１／１０〜約１／３の高さに設けるのが好適である。この高さに持ち手部１０５を設けることで、袋１００の運搬性が向上する。例えば、持ち手部１０５を袋本体部１０１の下端１０１ｂから約１／１０の高さより下方の位置に設けた場合は、収容物の重みによって袋本体部１０１の中央部分が下方に垂れてしまう場合がある。また、持ち手部１０５を袋本体部１０１の下端１０１ｂから約１／３の高さより上方の位置に設けた場合は、収容物の重みによって袋本体部１０１の下部分が下方に垂れてしまう場合がある。これに対して、持ち手部１０５を袋本体部１０１の下端１０１ｂから約１／１０〜約１／３の高さに設けることで、収容されている米粒の重みによって袋本体部１０１が下方に垂れることを防止できる。なお、本実施形態による袋１００においては、持ち手部１０５を袋本体部１０１の下端１０１ｂから約１／７の高さに設けるのが最も好適であるものの、袋本体部１０１の材質や形状によって、持ち手部１０５の好適な高さが異なる場合もある。
【００１８】
従来の米袋は、開口部に持ち手部が備えられているのみで、袋の外側面（持ち所が無く滑りやすい）には持ち手部が備えられていない。このため、従来の米袋では、米袋を移動させる場合において、開口部に備えられている持ち手部のみで米袋を保持するか、あるいは、開口部に備えられている持ち手部と米袋の持ち所が無く滑りやすい袋の外側面で米袋を保持することになる。一方、本実施の形態による袋１００は、紐状または帯状の紙材で構成された２つの持ち手部（持ち手部１０３、持ち手部１０５）を備えている。本実施の形態による袋１００を米袋として用いることで、開口部に備えられている持ち手部１０３と袋の外側面に備えられている持ち手部１０５で米が収容された袋１００を保持することができるため、本実施の形態による袋１００は、米の運搬に特に有用である。また、持ち手部１０５は、袋本体１０１の外側に密着させているので、袋１００を積み上げたとしても、持ち手部１０５がかさ張らないようになっている。
【００１９】
［第２の実施形態］
図５を用いて、本発明の第２の実施形態による袋２００を説明する。図５は、袋２００の正面図である。図５に示すように、袋２００は、袋本体部２０１と持ち手部２０３と持ち手部２０５と持ち手部２０７で構成されている。
【００２０】
袋本体部２０１は、上述の袋１００の袋本体部１０１と同じ構成であり、持ち手部２０３は、袋１００の持ち手部１０３と同じ構成であるため、その説明を省略する。
【００２１】
袋２００は、帯状または紐状の形状で構成された持ち手部が３か所に設けられている。持ち手部２０５及び持ち手部２０７は、上述の袋１００の持ち手部１０５と同じ形状及び材質である。持ち手部２０５は、持ち手部１０５の高さよりも高い位置に設けられ、持ち手部２０７は、持ち手部１０５の高さよりも低い位置に設けられる。また、持ち手部２０５と持ち手部２０７の間の距離は、同時に持ち手部２０５と持ち手部２０７を握ることが可能となる程度に離れているのが好適である。持ち手部２０５と持ち手部２０７の間の距離を離すことで、持ち手部によって袋本体部２０３を支える箇所が分散されるため、袋２００の運搬時の安定性が高まることになる。また、持ち手部２０５の上方に更に持ち手部が少なくとも１個以上設けられる構成であってもよいし、持ち手部２０７の下方に更に持ち手部が少なくとも１個以上設けられる構成であってもよい。
【００２２】
［第３の実施形態］
図６を用いて、本発明の第３の実施形態による袋３００を説明する。図６は、袋３００の正面図である。図６に示すように、袋３００は、袋本体部３０１と持ち手部３０３と持ち手部３０５と持ち手部３０７で構成されている。
【００２３】
袋本体部３０１は、上述の袋１００の袋本体部１０１と同じ構成であり、持ち手部３０３は、袋１００の持ち手部１０３と同じ構成であるため、その説明を省略する。
【００２４】
袋３００は、帯状または紐状の形状で構成された持ち手部が３か所に設けられている。持ち手部３０５及び持ち手部３０７は、上述の袋１００の持ち手部１０５と同じ形状及び材質である。持ち手部３０５は、袋本体３０１の表側外面において左端中から右端下に向けて延びるように設けられ、持ち手部３０７は、袋本体３０１の表側外面において左端下から右端中に向けて延びるように設けられる。持ち手部３０５と持ち手部３０７がクロスした部分を握ることが可能となるように、持ち手部３０５と持ち手部３０７を袋本体３０１に設けることで、持ち手部によって袋本体部２０３を支える箇所が分散されるため、袋２００の運搬時の安定性が高まることになる。
【００２５】
本発明は、穀物を収容する袋以外のあらゆる袋においても適用できる。例えば、肥料袋、セメント袋等においても適用できる。また、上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。
【産業上の利用可能性】
【００２６】
本発明は、袋において広く利用可能である。
【符号の説明】
【００２７】
１００、２００、３００  袋
１０１、２０１、３０１  袋本体部
１０１ａ、２０１ａ、３０１ａ  上端
１０１ｂ、２０１ｂ、３０１ｂ  下端
１０３、１０５、２０３、２０５、２０７、３０３、３０５、３０７  持ち手部
【図１】
2018070178.tif 000003
【図２】
2018070178.tif 000004
【図３】
2018070178.tif 000005
【図４】
2018070178.tif 000006
【図５】
2018070178.tif 000007
【図６】
2018070178.tif 000008
【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
上端が開口し、下端が閉じられている袋本体部と、
前記袋本体部の上端に対して略平行な方向に延びるように前記袋本体部の外面に設けられた紐状部材または帯状部材で構成される第一の持ち手部と、
前記袋本体部の下端に対して略平行な方向に延びるように前記袋本体部の外面に設けられた紐状部材または帯状部材で構成される第二の持ち手部を備え、
前記第二の持ち手部は、前記袋本体部の下端から上端までの高さを１とした場合に、下端から１／１０の高さよりも高い位置で、かつ上端よりも下端に近い位置に設けられ、
前記第二の持ち手部は、結び目のない環状の紙材で構成され、前記袋本体部の外周を巻くように該袋本体部の外面に接着し、
最大容量の穀物を収容した状態において、前記第二の持ち手部と前記袋本体部の外面の間に少なくとも１本の指を通すことができ、
前記第一の持ち手部は、環状ではない直線状の紙材で構成され、前記袋本体部の上端の近傍に設けられ口紐として機能する、
穀物を収容する袋。
【請求項２】
前記第二の持ち手部は、前記袋本体部の下端から上端までの高さを１とした場合に、下端から１／１０〜１／３の高さの位置に設けられる、
請求項１に記載の穀物を収容する袋。
【請求項３】
前記袋本体部の下端に対して略平行な方向に延びるように前記袋本体部の外面に設けられた紐状部材または帯状部材で構成される第三の持ち手部を備え、
前記第三の持ち手部は、前記袋本体部の下端から上端までの高さを１とした場合に、下端から１／１０の高さよりも高い位置で、かつ上端よりも下端に近い位置に設けられ、
前記第三の持ち手部は、結び目のない環状の紙材で構成され、前記袋本体部の外周を巻くように該袋本体部の外面に接着し、
最大容量の穀物を収容した状態において、前記第三の持ち手部と前記袋本体部の外面の間に少なくとも１本の指を通すことができ、
前記第三の持ち手部は、前記第一の持ち手部と前記第二の持ち手部の間に設けられる、
請求項１に記載の穀物を収容する袋。